(57)【特許請求の範囲】
【請求項１】
テレビ信号入力用の入力用信号ケーブルの内部導体と接続する第１の受け部を具備した入力側接続部、テレビ信号出力用の出力用信号ケーブルの内部導体に接続する第２の受け部を具備した出力側接続部、第１及び第２の受け部を連結する連結片が導電性部材で一体に形成されてなる接触子と、背面側が開口する略箱形に形成され入力側接続部を背面側から露出させるとともに出力側接続部を前面側に臨ませるようにして内部に収納する合成樹脂製のハウジングと、入力側接続部と出力側接続部が互いに対向する前面及び背面に設けられた略箱状であって、入力側接続部を背面側から露出させるとともに出力側接続部を前面より外部に臨ませるようにハウジング内に収納され且つ接触子を内部に収納する金属筐体と、絶縁性を有する合成樹脂製であって金属筐体内に収納されて接触子と金属筐体との間を電気的に絶縁するセパレータとを備え、帯板状の導電性部材を折曲して互いに対向配置された一対のばね片で第１及び第２の受け部を形成して成り、セパレータは、矩形平板状の主部と、主部の中央部に穿設された嵌合孔に一端部が嵌合されて主部の一面側から突出し且つ内部に第２の受け部が挿入される有底円筒形の絶縁体と、主部の端縁に設けられて金属筐体に設けられた嵌合切欠と嵌合してセパレータを金属筐体に位置決め固定するための突部と、接触子の第１の受け部を保持して固定する第１の固定用リブと、接触子の連結片を保持して固定する第２の固定用リブとを有することを特徴とするテレビコンセント。
【請求項２】
金属筐体は、入力側接続部が設けられた略コ字形の第１の金属板と、出力側接続部が設けられた略コ字形の第２の金属板とから成ることを特徴とする請求項１記載のテレビコンセント。
【発明の詳細な説明】
【０００１】
【発明の属する技術分野】
本発明は、テレビ信号用の信号ケーブルを接続するテレビコンセントに関するものである。
【０００２】
【従来の技術】
従来より、この種のテレビコンセントとして、図１８及び図１９に示す構造のものが知られている。このテレビコンセントは、テレビ受像機の信号ケーブルたる同軸ケーブル（以下、出力側同軸ケーブルと呼ぶ）の一端に取り付けられた図示しないプラグを接続する同軸コネクタ部Ａを前面に備え、テレビ放送受信用のアンテナ等との間を接続する信号ケーブルたる同軸ケーブル（以下、入力側同軸ケーブルと呼ぶ）の外部導体を接続する接続部Ｂ並びに入力側同軸ケーブルの内部導体を差し込み接続する刃受部１４ｂを背面に備えている。
【０００３】
このテレビコンセントのハウジング５０は合成樹脂製であり、背面が開口する箱状に形成されている。なお、ハウジング５０の外形は、規格化された既製の埋込型の配線器具（例えば、ＪＩＳに規定される大角形連用配線器具など）の１個モジュール寸法の配線器具と合わせてある。つまり、既製の埋込型の配線器具を埋込ボックスに取り付ける場合に用いる取付枠の開口内に嵌まる直方体状のボス部５１を前面に形成し、このボス部５１より１段低くなった両側部から外方に、合成樹脂製の取付枠への取付用の一対の係止爪５２を突設し、ボス部５１の両側面下部に金属製の取付枠への取付用の嵌合孔が穿設された凸部を設けてある（図示せず）。
【０００４】
同軸コネクタ部Ａは、ボス部５１の前面を環状に凹設し、中央の円柱部１６の中心部に穿設された貫通孔に埋設される内部接触子１４と、円柱部１６の外周を被嵌する円筒状の外部接触子１５とで構成されている。
【０００５】
上記外部接触子１５は背面側に突出する一対の脚片１５ａを備えている。また、内部接触子１４は、上記円柱部１６に埋設される上端部に、上記プラグの内部コンタクトを挟み込む形で受けるピン受け部１４ａが形成され、下端部に入力側同軸ケーブルの内部導体を受ける刃受部１４ｂが形成されている。
【０００６】
ハウジング５０の開口する背面には金属製のシールド板１７が取り付けられる。シールド板１７の両端部からは図１８における下方に圧着片１７ａが突設され、この圧着片１７ａをハウジング５０の内側面に圧接する形で嵌め込むことにより、ハウジング５０の背面に圧入状態で取り付けられる。このシールド板１７の一側面の刃受部１４ｂが対向する部分は切り欠いてある。また、このシールド板１７の背面の切欠部１８の両側部からは一対の軸支片１７ｂを突設してある。
【０００７】
上記シールド板１７の内側には合成樹脂製の絶縁板１９が取り付けられる。この絶縁板１９の背面からは上記シールド板１７の切欠部１８に収まる突部２４を形成し、この突部２４に形成された挿通孔２４ａを通して、入力側同軸ケーブルの内部導体が挿入される。この絶縁板１９の前面からはハウジング５０のボス部５１の内底面に当たる当接片１９ａを突設してある。また、外部接触子１５の脚片１５ａの一方に対応する位置には、角状の挿通孔１９ｂを形成し、この挿通孔１９ｂに対応するシールド板１７には切り起こし部１７ｄを形成してある。
【０００８】
上記シールド板１７の軸支片１７ｂには、入力側同軸ケーブルを張力止めする押さえ金具２０が回動自在に取り付けられる。この押さえ金具２０の基端部には、先端が夫々外側に折曲された一対の枢支片２０ａが形成され、押さえ金具２０は枢支片２０ａを軸支片１７ｂの切込み部（図示せず）にかしめてシールド板１７に回動自在に取り付けられる。この押さえ金具２０の先端部は中央部を円弧状に曲成し、この曲成部２０ｂで入力側同軸ケーブルを挟み込むようになっている。この曲成部２０ｂの一側部には、ねじ２１が抜け止め状態で取り付けられた固定片２０ｃを備え、ねじ２１をシールド板１７のねじ孔に螺合して入力側同軸ケーブルの保持状態を固定するようになっている。この押さえ金具２０、絶縁板１９に形成された突部２４及びシールド板１７で、入力側同軸ケーブルの接続部Ｂが構成されている。
【０００９】
入力用同軸ケーブルの接続は次のように行う。押さえ金具２０をシールド板１７から外し、入力用同軸ケーブルの内部導体を突部２４の挿通孔２４ａを通して刃受部１４ｂに差し込み、さらに内部導体を略９０度折り曲げる。なお、突部２４の挿通孔２４ａの回りには内部導体を３方から囲む隔壁部を形成してある。そして、入力用同軸ケーブルの外部導体としての編組線部分を押さえ金具２０で挟み込み、ねじ２１をシールド板１７に締め付けることで入力用同軸ケーブルがテレビコンセントに接続される。なお、図２０に示すように絶縁板１９に突部を設けずに刃受部１４ｂをシールド板１７の切欠部１８から露出させるような構造のものや、図２１に示すように内部接触子１４の刃受け部１４ｂを、入力側同軸ケーブルの内部導体の差込方向が押さえ金具２０で固定された状態の入力側同軸ケーブルの軸方向と略平行になるように、絶縁板１９を通してシールド板１７の切欠部１８からハウジング５０の背面側に突出させたものもある。
【００１０】
さらに、図２２に示すような構造のテレビコンセントも提供されている。このテレビコンセントは、テレビ信号が出力される出力端子部６０が底面に設けられた略コ字形のシールドケース本体６１ａと、シールドケース本体６１ａに結合されて箱状のシールドケース６１を構成する略コ字形のシールドケースカバー６１ｂと、合成樹脂により略コ字形に形成され出力端子部６０を前方に露出する丸孔６２ａを有するハウジング６２とを備えている。また、テレビ信号入力用の同軸ケーブルの外部導体が接続される外部導体接続部６３がシールドケース６１の側面に設けられるとともに、ハウジング６２の背面から後方へ垂設された突出部６４に上記同軸ケーブルの内部導体が接続される内部導体接続部６５が設けられている。なお、出力端子部６０を構成する内部導体接続用の接触子（図示せず）と内部導体接続部６５とはシールドケース６１内に収納されるプリント基板６６を介して接続されている。
【００１１】
【発明が解決しようとする課題】
ところで、図１８及び図２１に示した従来例では、図２３に示すように内部コンタクトを受けるピン受け部１４ａを略円筒形に形成しているため、帯板状の導電性部材を複数回に分けて徐々に曲げ加工しなければならず、製造が難しい、工数がかかる、寸法精度が出しにくいといった問題がある。
【００１２】
本発明は上記問題点に鑑みて為されたものであり、その目的とするところは、出力用信号ケーブルの内部導体に接続される受け部が容易に製造できるテレビコンセントを提供することにある。
【００１３】
【課題を解決するための手段】
請求項１の発明は、上記目的を達成するために、テレビ信号入力用の入力用信号ケーブルの内部導体と接続する第１の受け部を具備した入力側接続部、テレビ信号出力用の出力用信号ケーブルの内部導体に接続する第２の受け部を具備した出力側接続部、第１及び第２の受け部を連結する連結片が導電性部材で一体に形成されてなる接触子と、背面側が開口する略箱形に形成され入力側接続部を背面側から露出させるとともに出力側接続部を前面側に臨ませるようにして内部に収納する合成樹脂製のハウジングと、入力側接続部と出力側接続部が互いに対向する前面及び背面に設けられた略箱状であって、入力側接続部を背面側から露出させるとともに出力側接続部を前面より外部に臨ませるようにハウジング内に収納され且つ接触子を内部に収納する金属筐体と、絶縁性を有する合成樹脂製であって金属筐体内に収納されて接触子と金属筐体との間を電気的に絶縁するセパレータとを備え、帯板状の導電性部材を折曲して互いに対向配置された一対のばね片で第１及び第２の受け部を形成して成り、セパレータは、矩形平板状の主部と、主部の中央部に穿設された嵌合孔に一端部が嵌合されて主部の一面側から突出し且つ内部に第２の受け部が挿入される有底円筒形の絶縁体と、主部の端縁に設けられて金属筐体に設けられた嵌合切欠と嵌合してセパレータを金属筐体に位置決め固定するための突部と、接触子の第１の受け部を保持して固定する第１の固定用リブと、接触子の連結片を保持して固定する第２の固定用リブとを有することを特徴とし、従来の円筒形の受け部に比較して容易に製造でき、寸法精度が出しやすい。
【００１４】
請求項２の発明は、請求項１の発明において、金属筐体は、入力側接続部が設けられた略コ字形の第１の金属板と、出力側接続部が設けられた略コ字形の第２の金属板とから成ることを特徴とし、請求項１の発明の作用に加えて、第１の金属板と第２の金属板を結合して金属筐体を構成しているために金属筐体内に接触子を収納する作業が容易になって組立性が向上できる。
【００１５】
【発明の実施の形態】
（実施形態１）
図１に本発明の実施形態１の分解斜視図を示す。本実施形態のテレビコンセントＡ１は、テレビ信号入力用の入力用信号ケーブルが接続される入力側接続部、及びテレビ信号出力用の出力用信号ケーブルが接続される出力側接続部が互いに対向する前面及び背面に設けられた略箱状の金属筐体（シールドケース）２と、金属筐体２内に収容されて入力側接続部に接続された入力用信号ケーブル及び出力側接続部に接続された出力用信号ケーブルの内部導体同士を接続する内部導体接続手段と、背面側が開口する略箱形に形成され入力側接続部を背面側から露出させるとともに出力側接続部を前面より外部に臨ませるように金属筐体２を収納する合成樹脂製のハウジング１とを備えている。
【００１６】
金属筐体２は、平板状の金属材を折曲して互いに略コ字形に形成された第１及び第２の金属板３，４を結合して構成される。但し、第１及び第２の金属板３，４の形状はコ字形に限定されるものではなく、例えば、一方を一面が開口する箱形とし且つ他方を上記開口を塞ぐ平板状としたり、その他種々の形状が可能である。
【００１７】
第１の金属板３は矩形平板状の主片３ａと、主片３ａの長手方向に沿った両側端縁より同一方向へ垂下された側片３ｂ，３ｂとで構成され、主片３ａの一部が切り欠かれて開口部３ｃが形成されている。また、この第１の金属板３の開口部３ｃの両側部からは一対の軸支片３ｄが突設してある。これら一対の軸支片３ｄには、テレビ放送受信用のアンテナやダウンコンバータ等との間を接続する信号ケーブルたる同軸ケーブル（以下、入力側同軸ケーブルと呼ぶ）を張力止めする押さえ金具５が回動自在に取り付けられる。この押さえ金具５の基端部には、先端が夫々外側に折曲された一対の枢支片５ａが形成され、押さえ金具５は枢支片５ａを軸支片３ｄの切込み部にかしめて第１の金属板３に回動自在に取り付けられる。この押さえ金具５の先端部は中央部を円弧状に曲成し、この曲成部５ｂで入力側同軸ケーブルを挟み込むようになっている。この曲成部５ｂの一側部には、ねじ６が抜け止め状態で取り付けられた固定片５ｃを備え、ねじ６を主片３ａのねじ孔（図示せず）に螺合して入力側同軸ケーブルの保持状態を固定するようになっている。
【００１８】
一方、第２の金属板４は矩形平板状の主片４ａと、主片４ａの長手方向に対向する両側端縁より同一方向へ垂下された側片４ｂ，４ｂとで構成され、主片４ａの略中央には長孔状の取付孔４ｃが穿設されている。この取付孔４ｃには、後述するコネクタ（例えば、Ｆ型接栓コネクタ）７を構成する円筒形のシェル７ａがかしめ固定される。このシェル７ａは、金属等の導電部材により外周面にねじ部が形成され且つ一端部に固定用のフランジ部７ｂを有する円筒形に形成されており、後述するようにテレビ受像機やチューナなどと接続するための信号ケーブルたる同軸ケーブル（以下、出力用同軸ケーブルと呼ぶ）５０の一端に付設された同軸プラグ（例えば、Ｆ型接栓プラグ）５１の外部コンタクト（図示せず）と接続される（図１１参照）。但し、第２の金属板４にしぼり加工等を行ってシェル７ａを一体に形成するようにしても良い。
【００１９】
また、第２の金属板４の両側片４ｂ，４ｂの先端縁には各一対のかしめ爪４ｄ，４ｄが側片４ｂの垂下方向と同一方向に突設されている。これに対して、第１の金属板３の主片３ａには、長手方向両端部近傍を切り起こして切起爪３ｅ並びに切起孔３ｆが形成されており、図２及び図３に示すように第２の金属板４のかしめ爪４ｄ，４ｄをそれぞれ第１の金属板３の切起孔３ｆに挿通し且つ切起爪３ｅによりかしめ爪４ｄをかしめることで第１の金属板３と第２の金属板４が結合されて略箱状の金属筐体２を構成している。また、切起爪３ｅとかしめ爪４ｄとで第１及び第２の金属板３，４同士が電気的に接続されて両者が同電位に保たれる。
【００２０】
さらに本実施形態では、第２の金属板４の主片４ａの長手方向に沿った両端縁から各一対の端子片４ｅ，４ｅが側片４ｂの垂下方向と同方向に折曲形成され、これら端子片４ｅの外側面には略椀形の突起４ｆがそれぞれ突設されている。而して、第１及び第２の金属板３，４を結合して金属筐体２を組み立てると、図４に示すように第１の金属板３の側片３ｂに、第２の金属板４の各端子片４ｅの突起４ｆが圧接され、端子片４ｅを介して第１及び第２の金属板３，４同士が電気的に接続されることになる。このため、切起爪３ｅとかしめ爪４ｄのみで接続する場合に比較して安定して確実に同電位にすることができる。
【００２１】
上述のように構成される金属筐体２内には、図１に示すように接触子８、セパレータ９並びに端子カバー１０が収納される。接触子８は、図５に示すように入力用同軸ケーブルの内部導体と接続する第１の受け部８ａと、出力用同軸ケーブル５０の内部導体と接続されている同軸プラグ５１の中心コンタクト（図示せず）が接続する第２の受け部８ｂと、第１の受け部８ａと第２の受け部８ｂとを連結する略鉤形の連結片８ｃとが帯板状の導電性部材を折曲して一体に形成されている。ここで、第１及び第２の受け部８ａ，８ｂは、何れも略へ字形に形成されて互いに対向配置された一対のばね片８ｄ，８ｄを有し、このばね片８ｄ，８ｄの間に入力用同軸ケーブルの内部導体や同軸プラグ５１の中心コンタクトを差し込んで挟持するものである。なお、第１の金属板３、押さえ金具５並びに接触子８の第１の受け部８ａにより入力側接続部を構成し、コネクタ７により出力側接続部を構成するとともに、接触子８によって内部導体接続手段を構成している。
【００２２】
図５を参照して第２の受け部８ｂの構造をさらに詳しく説明する。連結片８ｃの長手方向に沿った端縁から一対の帯状部８ｂ1が延設され、各帯状部８ｂ1が略へ字形に折曲されてばね片８ｄが形成され、さらに各帯状部８ｂ1が互いに対向するように略直角に折り曲げられて第２の受け部８ｂが構成される。而して、帯状部８ｂ1を数回折曲するだけで第２の受け部８ｂが形成できるから、従来の円筒形のものに比較して製造が容易になり、寸法精度も出しやすくなる。
【００２３】
セパレータ９は絶縁性を有する合成樹脂製であって、矩形平板状の主部９ａと、主部９ａの中央部に穿設された嵌合孔に一端部が嵌合されて主部９ａの一面（以下、この面を「表面」と呼ぶ）側から突出する有底円筒形の絶縁体９ｂとを具備して成り、金属筐体２内に収納されて接触子８と第２の金属板４及びシェル７ａとの間を電気的に絶縁している。而して、シェル７ａ、第２の受け部８ｂ並びに絶縁体９ｂによって出力側接続部たるコネクタ７が構成されている。但し、主部９ａと絶縁体９ｂを絶縁性を有する合成樹脂により一体に形成することも可能である。
【００２４】
図９に示すように、絶縁体９ｂ内部には接触子８の第２の受け部８ｂが挿入され、底部中央に穿孔された挿入孔９ｃを通して挿入される同軸プラグ５１の中心コンタクトが第２の受け部８ｂに差込接続される。なお、絶縁体９ｂの内周面には主部９ａ側の開口に近付くにつれて径を増大させるように傾斜面９ｄが設けてあり、第２の受け部８ｂが挿入し易いようにしてある。また、絶縁体９ｂが突出する表面と反対側の主部９ａの裏面には、図６及び図７に示すように接触子８の第１の受け部８ａを三方から挟むように保持して固定する第１の固定用リブ９ｅと、同じく接触子８の連結片８ｃを三方から挟むように保持して固定する第２の固定用リブ９ｆとが突設してある。なお、図６に示すように第２の固定用リブ９ｆの内で互いに対向する一対のリブ９ｆには主部９ａに向けて互いの間隔を徐々に狭くするようなテーパ面９ｇが形成してある。而して、第１及び第２の固定用リブ９ｅ，９ｆによって接触子８を正規の位置に位置決めして固定することができ、その結果、組立時に接触子８が移動したりがたついたりすることが無く、組立不良を防ぐことができる。さらに、接触子８をセパレータ９に組み込む際に正規の位置から多少ずれていても、第２の固定用リブ９ｆに形成したテーパ面９ｇで接触子８の連結片８ｃがガイドされて接触子８を正規の位置に確実に位置決めして固定することができ、組立時間の短縮が図れる。
【００２５】
一方、端子カバー１０は絶縁性を有する合成樹脂製であって、短冊形の基部１０ａと、基部１０ａの長手方向に対向する両端縁から同一方向に垂設された一対の側部１０ｂ，１０ｂと、基部１０ａより側部１０ｂと反対側へ突設されて内部に接触子８の第１の受け部８ａが収納される収納部１０ｃとを具備して成り、金属筐体２内に収納されて接触子８と第１の金属板３との間を電気的に絶縁している。両側部１０ｂの先端両側には第２の金属板４の主片４ａに当接する突起１０ｄが設けてある。
【００２６】
収納部１０ｃの内部は基部１０ａを通して開口させてあり、この開口から接触子８の第１の受け部８ａが収納部１０ｃ内に挿入される。基部１０ａの短幅方向に対向する収納部１０ｃの両側面のうち、一方の側面には入力用同軸ケーブルの内部導体を挿入する挿入口（図示せず）が設けられ、他方の側面には矩形の開口孔１０ｅが設けられている。すなわち、挿入口から挿入された入力用同軸ケーブルの内部導体が収納部１０ｃ内に収納されている第１の受け部８ａに差込接続されるのである。ここで、収納部１０ｃ内において開口孔１０ｅの周縁に第１の受け部８ａを構成するばね片８ｄ，８ｄの後端縁を当接させており、挿入口から挿入された内部導体を第１の受け部８ａに差込接続する際に第１の受け部８ａががたついたり変形したりするのを防止している。
【００２７】
ところで、端子カバー１０は、金属筐体２内においては第１の金属板３で押さえ付けて固定されているのであるが、これだけでは第１の金属板３の主片３ａと略平行する方向には十分に固定することができない。そこで、本実施形態においては、図１０に示すように基部１０ａの長手方向端縁近傍に収納部１０ｃを挟んで一対の位置固定リブ１０ｆ，１０ｆを突設し、第１の金属板３の主片３ａの対応する位置に設けた嵌合溝３ｇ，３ｇに位置固定リブ１０ｆ，１０ｆを嵌合させて第１の金属板３に対して端子カバー１０を位置決めして固定している。その結果、金属筐体２に対して端子カバー１０を強固に固定することができ、端子カバー１０のがたつきを抑えて第１の受け部８ａに入力用同軸ケーブルの内部導体を差込接続し易くなる。
【００２８】
さらに、基部１０ａの側部１０ｂが突出する側の面の略中央には、金属筐体２内に収納された状態で接触子８の連結片８ｃをセパレータ９の主部９ａに押さえつける押さえリブ１０ｇが突設してある。すなわち、接触子８、セパレータ９及び端子カバー１０を金属筐体２内に収納した状態では、図９に示すように端子カバー１０の押さえリブ１０ｇによって接触子８の連結片８ｃがセパレータ９の主部９ａに押さえつけて固定されることになる。このため、第２の受け部８ｂが内部導体の差込方向に移動するのを規制することができ、出力用同軸ケーブル５０の接続が容易に行えるとともに第２の受け部８ｂが移動することによる接触不良等の不具合の発生を防ぐことができる。
【００２９】
一方、ハウジング１は絶縁性を有する合成樹脂製であり、背面が開口する箱状に形成されている。ここで、ハウジング１の外形は規格化された既製の埋込型の配線器具（例えば、ＪＩＳに規定される大角形連用配線器具）の１個モジュール寸法の配線器具と合わせてある。つまり、図１１に示すように既製の埋込型の配線器具を埋込ボックスに取り付ける場合に用いる取付枠４２（ＪＩＳ Ｃ ８３５７参照）の開口窓４２ａ内に嵌まる直方体状のボス部１ａを前面に形成し、このボス部１ａより１段低くなった両側部から外方に、合成樹脂製の取付枠４２への取付用の一対の係止爪１ｂ，１ｂを突設し、ボス部１ａの両側面下部に金属製の取付枠（図示せず）への取付用の嵌合孔が穿設された凸部を設けてある（図示せず）。また、図４に示すようにボス部１ａには前面に開口する略円形の凹所１ｃが設けてあり、この凹所１ｃの底面に設けた挿通孔１ｄを通してコネクタ７がボス部１ａの凹所１ｃ内に配置される。
【００３０】
また、ハウジング１の短幅方向に対向する両側面には矩形の係合孔１ｅ，１ｅが各一対ずつ設けてあり、第１の金属板３の両側片３ｂ，３ｂに切り起こし形成された係合爪３ｈ，３ｈを係合孔１ｅ，１ｅに係合することでハウジング１の内部に金属筐体２を収容した状態でハウジング１と金属筐体２とを固定することができる。ここで、図１に示すようにハウジング１の長手方向に対向する両内側面には位置決め用の突条１ｆ，１ｆが突設されており、これらの突条１ｆ，１ｆを第２の金属板４の側片４ｂに形成された位置決め溝４ｇ，４ｇにそれぞれ嵌合することでハウジング１に対して金属筐体２の位置決め、並びに組立後における金属筐体２のがたつき防止を図っている。
【００３１】
次に本実施形態の組立手順を簡単に説明する。
【００３２】
まず、開口側を上にしたハウジング１の内部にシェル７ａを取り付けた第２の金属板４を上方から入れる。このとき、ハウジング１に設けた突条１ｆと第２の金属板４に設けた位置決め溝４ｇが嵌合して位置決めがなされ、挿通孔１ｄを通してシェル７ａがボス部１ａの凹所１ｃ内に配置される。そして、第２の金属板４の上からセパレータ９を入れる。このとき、セパレータ９の絶縁体９ｂがシェル７ａの内部に挿入される。
【００３３】
次に、セパレータ９の第１及び第２の固定用リブ９ｅ，９ｆ間に接触子８を上方から挿入して固定する。このとき、既に説明したように第２の固定用リブ９ｆに形成したテーパ面９ｇで接触子８の連結片８ｃがガイドされて接触子８を正規の位置に確実に位置決めして固定することができるから組立時間の短縮が図れるものである。そして、収納部１０ｃ内に接触子８の第１の受け部８ａを収納するように端子カバー１０を上方から入れる。このとき、セパレータ９の主部９ａの長手方向に対向する両端部に形成された一対の溝９ｈ、９ｈに端子カバー１０の一方側の突起１０ｄ，１０ｄが嵌合して位置決めがなされる。さらに押さえ金具５を取り付けた第１の金属板３を、端子カバー１０の収納部１０ｃを開口部３ｃに挿通させるように上方からハウジング１内に入れる。このとき、第２の金属板４のかしめ爪４ｄを第１の金属板３の切起孔３ｆにそれぞれ挿通し、第２の金属板４の端子片４ｅを第１の金属板３の側片３ｂの内側に圧接させるとともに、端子カバー１０の位置固定リブ１０ｆを第１の金属板３の嵌合溝３ｇに嵌合させる。また、第１の金属板３を入れる際には、ハウジング１の開口端縁に第１の金属板３の係合爪３ｈ、３ｈを当接し、第１の金属板３をハウジング１内に押し込むにしたがって係合爪３ｈ、３ｈを徐々に撓めさせ、やがて各係合爪３ｈ，３ｈをハウジング１の側面に設けた係合孔１ｅ，１ｅに係合させて第１の金属板３をハウジング１に固定する。なお、第１の金属板３の側片３ｂの先端縁略中央に設けた嵌合切欠３ｎと、セパレータ９の長手方向に沿った両側端縁略中央に設けた突部９ｉとを嵌合させて、金属筐体２に対してセパレータ９を位置決めして固定している。
【００３４】
最後に第１の金属板３の切起爪３ｅを倒すようにして切起孔３ｆから突出したかしめ爪
４ｄをかしめて第１及び第２の金属板３，４を強固に固定して金属筐体２を形成し、図２に示すように本実施形態のテレビコンセントＡ１が完成する。
【００３５】
本実施形態では、ハウジング１の内から外へ、つまりハウジング１内部からボス部１ａの凹所１ｃに連通する挿通孔１ｄを設けているから、上述のようにハウジング１の内部に各部品を一方向（例えば、上方）から順次入れていくことで組み立てることができ、従来例のように外部接触子１５をハウジング５０の前方から組み立てる構造に比較して、組立時の作業性が向上できるとともに作業時間を短縮することができるという利点がある。
【００３６】
このテレビコンセントＡ１に対して入力用同軸ケーブルの接続は次のように行う。ねじ６を緩めて押さえ金具５を第１の金属板３から浮かし、入力用同軸ケーブルの内部導体を、第１の金属板３の開口部３ｃより突出した端子カバー１０の収納部１０ｃの挿入孔を通して第１の受け部８ａに差込接続する。そして、入力用同軸ケーブルの外部導体としての編組線部分を押さえ金具５で挟み込み、ねじ６を締め付けることで入力用同軸ケーブルがテレビコンセントＡ１に接続される。
【００３７】
また、本実施形態のテレビコンセントＡ１を、図１１に示すように合成樹脂製の取付枠４２に取り付ける場合、取付枠４２の両側片４３に対向して設けられた係止孔４４にハウジング１の係止爪１ｂを係止させることによって、ハウジング１が取付枠４２に取り付けられ、取付枠４２の両側片４３及び上下片で囲まれる開口窓４２ａからボス部１ａが露出する。そして、このように取付枠４２に取り付けて壁面などに埋込配設されたテレビコンセントＡ１に、出力用同軸ケーブル５０の先端に付設された同軸プラグ５１を接続する場合、テレビコンセントＡ１の凹所１ｃ内に同軸プラグ５１を挿入するようにしてコネクタ７に差込接続し、同軸プラグ５１が具備する接続ナット５２をコネクタ７のシェル７ａに螺合させて締め付けることにより、同軸プラグ５０がコネクタ７から不用意に外れてしまうことを防いでいる。なお、本実施形態ではハウジング１を埋込型の配線器具の１個モジュール寸法に形成しているが、これに限定する趣旨ではなく、ハウジングを２個モジュール寸法や３個モジュール寸法に形成しても良い。
【００３８】
ところで、図１８並びに図２１に示す従来例ではシールド板１７のみで十分なシールド性を得ることが困難であり、外来ノイズの影響を受け易いという問題がある。特に最近普及してきたＣＳ放送に対応させる場合、ＣＳ放送受信用のアンテナに付設されて受信周波数を低くするダウンコンバータの出力信号（テレビ信号）の周波数がおよそ１．５ＧＨｚと高いために地上波のテレビ信号に比較して外来ノイズに弱く、シールド板１７のみでは十分なシールド性が得られなかった。
【００３９】
また、図２２に示した従来例では、接触子と内部導体接続部６５とを接続しているプリント基板６６が箱状のシールドケース６１でシールドされているから、上記従来例に比較してシールド性を向上させることができるが、テレビ信号入力用の同軸ケーブルをシールドケース６１の側面に接続する構造であるため、前後方向の厚み寸法が大きくなって施工性が悪化するという問題がある。
【００４０】
これに対して本実施形態では、高周波のテレビ信号が流れる接触子８を箱状の金属筐体２内に収納しているためにシールド性を向上させることができ、しかも、入力側接続部たる押さえ金具５や第１の受け部８ａと、出力側接続部たるコネクタ７を金属筐体２の対向する前面及び背面に設けているので、テレビコンセントＡ１の前後方向の厚み寸法が増大することがなく、施工性を向上させることができる。特に、出力信号（テレビ信号）の周波数がおよそ１．５ＧＨｚと高いＣＳ放送受信用のダウンコンバータと接続する場合でも十分なシールド性が得られる。また、第１の金属板３と第２の金属板４を結合して金属筐体２を構成しているために金属筐体２内に接触子８を収納する作業が容易になって組立性が向上でき、しかも、第１の金属板３と第２の金属板４は切起爪３ｅとかしめ爪４ｄによって同電位に保たれるから、高周波特性並びにシールド性の向上も図れる。
【００４１】
さらに本実施形態では、第２の金属板４の主片４ａの長手方向に沿った両端縁から各一対の端子片４ｅ，４ｅを側片４ｂの垂下方向と同方向に折曲形成しているから、第１及び第２の金属板３，４を結合して金属筐体２を組み立てたときに、図４に示すように第１の金属板３の側片３ｂに第２の金属板４の各端子片４ｅの突起４ｆが圧接され、端子片４ｅを介して第１及び第２の金属板３，４同士が電気的に接続されることになる。すなわち、第１の金属板３と第２の金属板４が端子片４ｅを介して電気的に接続されるため、端子片４ｅによって第１の金属板３と第２の金属板４を安定して確実に同電位にすることができ、高周波特性並びにシールド性をより向上させることができる。
【００４２】
なお、図１２に示すように第１の金属板３の係合爪３ｈより後方の側片３ｂを係合爪３ｈよりも大きく切り欠いて係合爪３ｈを撓みやすくしても良い。また、本実施形態では接続ナット５２付の同軸プラグ５０に対応してコネクタ７のシェル７ａにねじ部が形成してあるが、同軸プラグが接続ナットを有しないものであれば、図１３に示すように外周面にねじ部が形成されていないシェル７ａ’を第２の金属板４に設けるようにしても良い。
【００４３】
（実施形態２）
図１４は本発明の実施形態２を示す一部省略した分解斜視図、図１５は本実施形態の外観斜視図をそれぞれ示している。但し、本実施形態の基本的な構成は実施形態１と共通であり、共通する構成については同一の符号を付して説明を省略し、本実施形態の特徴となる構成についてのみ説明する。
【００４４】
本実施形態は、ハウジング１と金属筐体２を係合する係合手段に特徴があり、ハウジング１の長手方向に対向する両外側面に係合凸部１ｇ，１ｇを設け、第１の金属板３の主片３ａの長手方向に対向する両端縁から舌片３ｉ，３ｉを垂設するとともに、これらの舌片３ｉ，３ｉに係合凸部１ｇと係合する係合孔３ｊ，３ｊを設けている。係合凸部１ｇは、ハウジング１の外側面に設けた凹部１ｈの底面より突設されている。
【００４５】
而して、本実施形態のテレビコンセントＡ２を組み立てる際に、第１の金属板３の舌片３ｉ、３ｉをハウジング１の外側に設けた凹部１ｈ内に収めるようにして係合凸部１ｇに舌片３ｉの係合孔３ｊを係合させ、ハウジング１と金属筐体２を強固に固定することができる。
【００４６】
ここで、実施形態１の場合には第１の金属板３の側片３ｂに係合爪３ｈを切起形成しているために金属筐体２に穴が開いてしまい、この穴から外来ノイズが侵入する虞があるが、本実施形態の場合には第１の金属板３に設けた舌片３ｉに係合孔３ｊを形成しているため、金属筐体２には孔を設ける必要が無く、実施形態１に比較してシールド性の向上が図れるという利点がある。
【００４７】
（実施形態３）
図１６は本発明の実施形態３を示す一部省略した分解斜視図、図１７は本実施形態の外観斜視図をそれぞれ示している。但し、本実施形態の基本的な構成は実施形態１と共通であり、共通する構成については同一の符号を付して説明を省略し、本実施形態の特徴となる構成についてのみ説明する。
【００４８】
本実施形態は、ハウジング１と金属筐体２を係合する係合手段に特徴があり、ハウジング１の長手方向に沿った両内側面に係合突起１ｉ，１ｉを設けるとともに、第１の金属板３の両側片３ｂ，３ｂの長手方向両端近傍に係合突起１ｉ，１ｉと係合する係合孔３ｋ，３ｋを設けている。
【００４９】
而して、本実施形態のテレビコンセントＡ３を組み立てる際にハウジング１内に第１の金属板３を入れると、第１の金属板３の側片３ｂ，３ｂに設けた係合孔３ｋ，３ｋにハウジング１に設けた係合突起１ｉ，１ｉを係合させ、ハウジング１と金属筐体２を強固に固定することができる。
【００５０】
【発明の効果】
請求項１の発明は、テレビ信号入力用の入力用信号ケーブルの内部導体と接続する第１の受け部を具備した入力側接続部、テレビ信号出力用の出力用信号ケーブルの内部導体に接続する第２の受け部を具備した出力側接続部、第１及び第２の受け部を連結する連結片が導電性部材で一体に形成されてなる接触子と、背面側が開口する略箱形に形成され入力側接続部を背面側から露出させるとともに出力側接続部を前面側に臨ませるようにして内部に収納する合成樹脂製のハウジングと、入力側接続部と出力側接続部が互いに対向する前面及び背面に設けられた略箱状であって、入力側接続部を背面側から露出させるとともに出力側接続部を前面より外部に臨ませるようにハウジング内に収納され且つ接触子を内部に収納する金属筐体と、絶縁性を有する合成樹脂製であって金属筐体内に収納されて接触子と金属筐体との間を電気的に絶縁するセパレータとを備え、帯板状の導電性部材を折曲して互いに対向配置された一対のばね片で第１及び第２の受け部を形成して成り、セパレータは、矩形平板状の主部と、主部の中央部に穿設された嵌合孔に一端部が嵌合されて主部の一面側から突出し且つ内部に第２の受け部が挿入される有底円筒形の絶縁体と、主部の端縁に設けられて金属筐体に設けられた嵌合切欠と嵌合してセパレータを金属筐体に位置決め固定するための突部と、接触子の第１の受け部を保持して固定する第１の固定用リブと、接触子の連結片を保持して固定する第２の固定用リブとを有するので、従来の円筒形の受け部に比較して容易に製造でき、寸法精度が出しやすいという効果がある。
【００５１】
請求項２の発明は、請求項１の発明において、金属筐体は、入力側接続部が設けられた略コ字形の第１の金属板と、出力側接続部が設けられた略コ字形の第２の金属板とから成ることを特徴とし、請求項１の発明の作用に加えて、第１の金属板と第２の金属板を結合して金属筐体を構成しているために金属筐体内に接触子を収納する作業が容易になって組立性が向上できるという効果がある。
【図面の簡単な説明】
【図１】  実施形態１を示す分解斜視図である。
【図２】  同上の外観斜視図である。
【図３】  同上の側面図である。
【図４】  同上の一部省略した側面断面図である。
【図５】  同上における接触子を示し、（ａ）は正面図、（ｂ）は左側面図、（ｃ）は下面図である。
【図６】  同上におけるセパレータと接触子を示す分解斜視図である。
【図７】  同上における接触子をセパレータに取り付けた状態の平面図である。
【図８】  同上における接触子、セパレータ及び端子カバーを示す分解斜視図である。
【図９】  同上における接触子、セパレータ及び端子カバーを組み立てた状態の断面図である。
【図１０】  同上における第１の金属板と端子カバーを示す分解斜視図である。
【図１１】  同上を取付枠に取り付けた状態を示す斜視図である。
【図１２】  同上の他の構成を示す一部省略した分解斜視図である。
【図１３】  同上のさらに他の構成を示す分解斜視図である。
【図１４】  実施形態２を示す一部省略した分解斜視図である。
【図１５】  同上の外観斜視図である。
【図１６】  実施形態３を示す一部省略した分解斜視図である。
【図１７】  同上の外観斜視図である。
【図１８】  従来例を示す分解斜視図である。
【図１９】  同上の外観斜視図である。
【図２０】  他の従来例を示す外観斜視図である。
【図２１】  さらに他の従来例を示す分解斜視図である。
【図２２】  別の従来例を示す分解斜視図である。
【図２３】  同上における内部接触子を示し、（ａ）は正面図、（ｂ）は左側面図、（ｃ）は下面図である。
【符号の説明】
１  ハウジング
２  金属筐体
３  第１の金属板
４  第２の金属板
７  コネクタ
８  接触子
８ａ  第１の受け部
８ｂ  第２の受け部
８ｃ  連結片
８ｄ  ばね片
９  セパレータ
１０  端子カバー
【図１】
0003678082.tif 000002
【図２】
0003678082.tif 000003
【図３】
0003678082.tif 000004
【図４】
0003678082.tif 000005
【図５】
0003678082.tif 000006
【図６】
0003678082.tif 000007
【図７】
0003678082.tif 000008
【図８】
0003678082.tif 000009
【図９】
0003678082.tif 000010
【図１０】
0003678082.tif 000011
【図１１】
0003678082.tif 000012
【図１２】
0003678082.tif 000013
【図１３】
0003678082.tif 000014
【図１４】
0003678082.tif 000015
【図１５】
0003678082.tif 000016
【図１６】
0003678082.tif 000017
【図１７】
0003678082.tif 000018
【図１８】
0003678082.tif 000019
【図１９】
0003678082.tif 000020
【図２０】
0003678082.tif 000021
【図２１】
0003678082.tif 000022
【図２２】
0003678082.tif 000023
【図２３】
0003678082.tif 000024